(57)【要約】【課題】  複数の誘導発電機を採用する発電プラントにおいて、誘導発電機の系統連系時における突入電流を抑制し、誘導発電機の連系に伴って発生する配電系統の瞬間的な電力、電圧変動や電圧フリッカの増加を防止する誘導発電機の系統連系方法を提供することを目的とする。【解決手段】  複数の誘導発電機を備えた風力発電プラントにおいて、配電系統に誘導発電機を連系するための誘導発電機の系統連系方法であって、配電系統に連系されていない誘導発電機のうち、その回転数が予め設定されている連系開始回転数に到達した誘導発電機から順に配電系統に連系させる。【選択図】      図３
2006109569.tif 000002
【特許請求の範囲】
【請求項１】
発電プラントに備えられた複数の誘導発電機を配電系統に連系する誘導発電機の系統連系方法であって、
前記配電系統に、前記誘導発電機の各々を順次連系させる誘導発電機の連系方法。
【請求項２】
前記誘導発電機のそれぞれにおいて、前記配電系統に連系させる順番を予め定めておき、
一の誘導発電機の連系が完了した後に、次の順番に該当する誘導発電機を連系させる請求項１に記載の誘導発電機の連系方法。
【請求項３】
前記配電系統に連系されていない誘導発電機のうち、その回転数が予め設定されている連系開始回転数に到達した一の誘導発電機から順に前記配電系統に連系させる請求項１に記載の誘導発電機の系統連系方法。
【請求項４】
一の誘導発電機の回転数が前記連系開始回転数に到達した時点で、連系を完了していない他の誘導発電機の運転を停止させ、その後、所定の条件を満たしたときに、前記他の誘導発電機の運転を再開させる請求項３に記載の誘導発電機の系統連系方法。
【請求項５】
前記一の誘導発電機の回転数が前記連系開始回転数に到達したときから前記一の誘導発電機が連系を完了するまでの期間において、他の誘導発電機の回転数が前記連系開始回転数よりも低く設定されている待機回転数以上にならないように、前記他の誘導発電機を運転させ、その後、所定の条件を満たしたときに、前記他の誘導発電機の通常運転を再開させる請求項３に記載の誘導発電機の系統連系方法。
【請求項６】
前記一の誘導発電機の回転数が前記連系開始回転数に到達したときから前記一の誘導発電機が連系を完了するまでの期間において、その回転数が前記連系開始回転数よりも低く設定されている運転停止回転数に達した他の誘導発電機は、前記一の誘導発電機の連系が完了するまで、又は、その回転数がゼロに達するまで、運転が停止される請求項３に記載の誘導発電機の系統連系方法。
【請求項７】
発電プラントに備えられた複数の誘導発電機を配電系統に連系する誘導発電機の系統連系制御をコンピュータシステムに実行させるための系統連系制御プログラムであって、
前記誘導発電機の各々を順次連系させる誘導発電機の系統連系制御プログラム。
【請求項８】
複数の誘導発電機と、
複数の前記誘導発電機の各々を配電系統に順次連系させる系統連系制御を行う制御装置と
を具備する発電システム。
【発明の詳細な説明】
【技術分野】
【０００１】
本発明は、誘導発電機の系統連系方法に係り、特に、複数の誘導発電機を備えた発電プラントに好適な誘導発電機の系統連系方法に関するものである。
【背景技術】
【０００２】
従来、風力発電装置などの発電プラントには、小型、軽量などの利便性から誘導発電機が多く採用されている。
しかしながら、上記誘導発電機は、系統連系時に、過渡的な突入電流が発生し、これに起因して、系統側の電圧変動などが生ずるという問題がある。
そこで、従来、この突入電流を抑制する装置などが提案されている。
例えば、特開平１１−４５４３号公報（特許文献１）には、並列変圧器と並列補償用変換装置を設けることにより、誘導発電機の系統連系時における突入電流などを抑制する技術が開示されている。
【特許文献１】特開平１１−４５４３号公報
【発明の開示】
【発明が解決しようとする課題】
【０００３】
ところで、複数の風力発電装置により発電を行うような風力発電プラントなどにおいては、風況により、複数の誘導発電機が同時に系統に連系されてしまうおそれがある。
このように、複数の誘導発電機が同時に系統に連系されてしまうと、上述の特許文献１などに示された従来の突入電流抑制手法を用いて、各誘導発電機の突入電流を抑制したとしても、これらの突入電流が重畳されることにより、全体として系統へ流れる突入電流が増加することとなる。この結果、配電系統の電圧変動や、電圧フリッカ（ちらつき）を引き起こしてしまうという問題があった。
【０００４】
本発明は、上記問題を解決するためになされたもので、複数の誘導発電機を採用する発電プラントにおいて、誘導発電機の系統連系時における突入電流を抑制し、誘導発電機の連系に伴って発生する配電系統の瞬間的な電力、電圧変動や電圧フリッカの増加を防止することのできる誘導発電機の系統連系方法を提供することを目的とする。
【課題を解決するための手段】
【０００５】
上記課題を解決するために、本発明は以下の手段を採用する。
本発明は、発電プラントに備えられた複数の誘導発電機を配電系統に連系する誘導発電機の系統連系方法であって、前記配電系統に、前記誘導発電機の各々を順次連系させる誘導発電機の連系方法を提供する。
このように、各誘導発電機を順次連系させることにより、系統連系に起因する突入電流が重畳されるのを防止することが可能となり、突入電流の増加を抑制することができる。
連系とは、例えば、商用電源から負荷に給電する配電系統に、誘導発電機を接続することをいう。
【０００６】
本発明の誘導発電機の連系方法は、前記誘導発電機のそれぞれにおいて、前記配電系統に連系させる順番を予め定めておき、一の誘導発電機の連系が完了した後に、次の順番に該当する誘導発電機を連系させることが好ましい。
このように、各誘導発電機に対して、予め連系の順番を定めておき、その順番に従って、各誘導発電機を連系させる。これにより、非常に簡便な制御手法により、誘導発電機の同時連系を防止することができる。
【０００７】
上記記載の誘導発電機の系統連系方法において、前記配電系統に連系されていない誘導発電機のうち、その回転数が予め設定されている連系開始回転数に到達した一の誘導発電機から順に、前記配電系統に連系させることが好ましい。
このように、回転数が、予め設定されている連系開始回転数に到達した誘導発電機から順に、配電系統に連系させるので、発電状態の良い発電装置から配電系統に連系させることが可能となる。これにより、発電電力の損失を低減させることができる。
【０００８】
上記記載の誘導発電機の系統連系方法において、一の誘導発電機の回転数が前記連系開始回転数に到達した時点で、連系を完了していない他の誘導発電機の運転を停止させ、その後、所定の条件を満たしたときに、前記他の誘導発電機の運転を再開させることが好ましい。
【０００９】
このように、一の誘導発電機の回転数が連系開始回転数に到達した時点で、他の誘導発電機の運転を停止させるので、他の誘導発電機の回転数を除々に低下させることが可能となる。これにより、一の誘導発電機が連系を完了した時点における他の誘導発電機の回転数を連系開始回転数よりも低くすることが可能となるので、ある程度の時間間隔で、各誘導発電機を順次連系させることが可能となる。これにより、極めて短い時間に、複数の誘導発電機が相次いで、配電系統に連系されるという状況を回避することが可能となり、突入電流の増加を確実に防止することができる。
上記所定の条件とは、例えば、一の誘導発電機が連系を完了したとき、又は、運転を停止させた他の誘導発電機の回転数が連系開始回転数よりも低く設定されている運転再開回転数に到達したときなどである。また、複数の他の誘導発電機が存在する場合は、各誘導発電機の再起動のタイミングは、一致していても良いし、異なっていても良い。
【００１０】
上記記載の誘導発電機の系統連系方法において、前記一の誘導発電機の回転数が前記連系開始回転数に到達したときから前記一の誘導発電機が連系を完了するまでの期間において、他の誘導発電機の回転数が前記連系開始回転数よりも低く設定されている待機回転数以上にならないように、前記他の誘導発電機を運転させ、その後、所定の条件を満たしたときに、前記他の誘導発電機の通常運転を再開させることが好ましい。
【００１１】
このように、一の誘導発電機の回転数が連系開始回転数に到達したときから一の誘導発電機が連系を完了するまでの期間において、他の誘導発電機の回転数が待機回転数以上にならないように、各誘導発電機の運転を行うので、極めて短い期間に、複数の誘導発電機が相次いで配電系統に連系することを防止することができるとともに、運転を停止してしまう場合に比べて、全ての誘導発電機を配電系統に連系させるまでの期間を短くすることが可能となる。
上記所定の条件とは、例えば、一の誘導発電機が連系を完了したとき、又は、運転を停止させた他の誘導発電機の回転数が連系開始回転数よりも低く設定されている運転再開回転数に到達したときなどである。また、複数の他の誘導発電機が存在する場合は、各誘導発電機の再起動のタイミングは、一致していても良いし、異なっていても良い。
【００１２】
上記記載の誘導発電機の系統連系方法において、前記一の誘導発電機の回転数が前記連系開始回転数に到達したときから前記一の誘導発電機が連系を完了するまでの期間において、その回転数が前記連系開始回転数よりも低く設定されている運転停止回転数に達した他の誘導発電機は、前記一の誘導発電機の連系が完了するまで、又は、その回転数がゼロに達するまで、運転が停止されることが好ましい。
【００１３】
このように、一の誘導発電機の回転数が連系開始回転数に到達したときから一の誘導発電機が連系を完了するまでの期間において、回転数が運転停止回転数以上となった誘導発電機に限って、その運転を停止させるので、全ての他の誘導発電機を停止させる場合に比べて、停止させる誘導発電機の台数を少なくすることが可能となる。この結果、誘導発電機の運転停止による電力の損失を低減させることができる。
更に、運転を停止させない誘導発電機については、一の誘導発電機が連系過程にある期間において、その回転数を上昇させることが可能となるので、一の誘導発電機が連系を完了した時点から、連系をしていない誘導発電機の回転数が連系開始回転数に到達するまでの期間を短くでき、全ての誘導発電機を配電系統に連系させるのに要する期間を非常に短くすることが可能となる。
【００１４】
また、本発明の誘導発電機の系統連系方法は、複数の風力発電装置を備える風力発電プラントに好適なものであり、この誘導発電機の系統連系方法を採用することにより、風力発電装置により発電された電力を有効に利用することが可能となる。
【００１５】
本発明は、発電プラントに備えられた複数の誘導発電機を配電系統に連系する誘導発電機の系統連系制御をコンピュータシステムに実行させるための系統連系制御プログラムであって、前記誘導発電機の各々を順次連系させる誘導発電機の系統連系制御プログラムを提供する。
【００１６】
本発明は、複数の誘導発電機と、複数の前記誘導発電機の各々を配電系統に順次連系させる系統連系制御を行う制御装置とを具備する発電システムを提供する。
【発明の効果】
【００１７】
本発明の誘導発電機の連系方法によれば、誘導発電機の連系に伴って発生する配電系統の瞬間的な電力、電圧変動や電圧フリッカの増加を防止することができるという効果が得られる。
【発明を実施するための最良の形態】
【００１８】
以下に、本発明にかかる誘導発電機の系統連系方法を風力発電プラントに適用した場合の一実施形態について、図面を参照して説明する。
まず、本発明の誘導発電機の系統連系方法が適用される風力発電プラントの一実施形態について図１を参照して説明する。
図１に示すように、本実施形態に係る風力発電プラントは、５つの風力発電装置１０ａ、１０ｂ、１０ｃ、１０ｄ、１０ｅを備えている。これら風力発電装置１０ａから１０ｅは、以下風力発電装置１０ａを代表して説明するように、同じ構成要素を備えている。
例えば、風力発電装置１０ａは、風車１ａ、風車１ａと連動して電力を発生する誘導発電機２ａ、誘導発電機２ａの出力ライン３ａに設けられたコンタクタ４ａ、コンタクタ４ａと配電系統５との間の出力ライン３ａに設けられた変圧器６ａ、及び誘導発電機２ａの運転制御並びにコンタクタ４ａのオン／オフ制御を行う制御部７ａを主な構成要素として備えている。
【００１９】
また、風力発電装置１０ａは、図示しない回転計測器を備えている。回転計測器は、誘導発電機２ａの回転数を計測し、計測値を制御部７ａへ出力する。これにより、制御部７ａは、誘導発電機２ａの回転数を把握することが可能となる。
上記構成からなる風力発電装置１０ａにおいて、配電系統５との連系は、コンタクタ４ａがオンされることにより行われる。ここで、配電系統５は、例えば、電力会社の商業用の配電線網であり、商用電源から負荷へ給電を行う系統である。
【００２０】
各風力発電装置１０ａ、１０ｂ、１０ｃ、１０ｄ、１０ｅに設けられている制御部７ａから７ｅは、それぞれ情報伝達媒体９を介して中央監視装置８に接続されている。この情報伝達媒体９は、有線でも無線でも良く、例えば、ＬＡＮ、光ファイバ、無線ＬＡＮなどが挙げられる。
中央監視装置８は、風力発電プラントを構成する５つの風力発電装置１０ａ、１０ｂ、１０ｃ、１０ｄ、１０ｅの運転を一元的に監視制御するものであり、例えば、コンピュータシステムにより構成されている。
具体的には、ＣＰＵ（中央演算装置）、ＲＯＭ（Read Only Memory）、ＲＡＭ（Random Access Memory）、入力装置、出力装置などから構成されている。
【００２１】
〔第１の実施形態〕
次に、上記構成からなる風力発電プラントにおいて、中央監視装置８により実現される本発明の第１の実施形態に係る誘導発電機の系統連系制御について、図２及び図３を参照して説明する。図２は、本発明の第１の実施形態に係る系統連系制御の手順を示したフローチャート、図３は、同実施形態に係る系統連系に関するタイミングチャートである。
図３において、線Ａは誘導発電機２ａの回転数、線Ｂは誘導発電機２ｂの回転数、同様にして、線Ｃ、Ｄ、Ｅは、誘導発電機２ｃ、２ｄ、２ｅの回転数をそれぞれ示している。
例えば、この系統連系制御は、中央監視装置のＣＰＵが、ＲＯＭなどの記憶装置、或いは、コンピュータ読み取り可能な記録媒体（例えば、磁気ディスク、光磁気ディスク、ＣＤ−ＲＯＭ、ＤＶＤ−ＲＯＭ、半導体メモリ等）に記録されている系統連系制御プログラムをＲＡＭに読み出し、実行することにより実現される。
【００２２】
なお、以下の説明において、各誘導発電機の回転数は、図示しない回転計測器により検出されるものである。中央監視装置８は、回転計測器により検出された回転数を制御部７ａから７ｅを介して取得することにより、各誘導発電機２ａから２ｅの回転数を把握することができる。
【００２３】
まず、中央監視装置８は、各制御部７ａから７ｅに対して、誘導発電機２ａから２ｅの運転開始指令を送信する（図２のステップＳＡ１）。この運転開始指令を受信した各制御部７ａから７ｅは、それぞれ対応する誘導発電機２ａから２ｅの運転を開始する。
これにより、風車１ａから１ｅの動力がそれぞれ誘導発電機２ａから２ｅに伝えられ、誘導発電機２ａから２ｅの回転数は変化する（図３の時刻ｔ０からｔ１）。各制御部７ａから７ｅは、誘導発電機２ａから２ｅの回転数を逐次、中央監視装置８へ通知する。
【００２４】
次に、中央監視装置８は、各制御部から通知される回転数をモニタし、回転数が予め設定されている連系開始回転数に達した誘導発電機が存在するか否かを判定する（図２のステップＳＡ２）。
ステップＳＡ２において、回転数が連系開始回転数に達した誘導発電機が存在した場合には（図２のステップＳＡ２において「YES」）、中央監視装置８は、この誘導発電機（以下「一の誘導発電機」という。）に対して、優先連系権利を与えるとともに、その他の誘導発電機（以下「他の誘導発電機」という。）に対応する制御部に対して、運転を停止させる運転停止指令を送信する。
例えば、図３に示すように、時刻ｔ１において、誘導発電機２ａの回転数が連系開始回転数に達した場合、中央監視装置８は、この誘導発電機２ａに対して優先連系権利を与えるとともに、他の誘導発電機２ｂから２ｅの運転を停止させるべく、制御部７ｂから７ｅに対して、他の誘導発電機２ｂから２ｅの運転停止指令を送信する（図２のステップＳＡ３）。
これにより、運転停止指令を受信した制御部７ｂから７ｅは、他の誘導発電機２ｂから２ｅの運転を停止させる。これにより、他の誘導発電機２ｂから２ｅの回転数は、自然に低下していく（図３の時刻ｔ１からｔ２の間）。
【００２５】
一方、優先連系権利が与えられた一の誘導発電機２ａについては、運転が停止されていないため、その回転数は除々に上昇していく（図３の時刻ｔ１〜ｔ２）。中央監視装置８は、制御部７ａから通知される一の誘導発電機２ａの回転数をモニタし、この回転数が同期回転数に達したか否かを判定する（図２のステップＳＡ４）。
そして、一の誘導発電機２ａの回転数が同期回転数に達したと判断すると（図２のステップＳＡ４において「YES」、図３の時刻ｔ２）、制御部２ａに対して連系指令を送信する（図２のステップＳＡ５）。制御部７ａは、この連系指令を受信すると、コンタクタ４ａをオンさせて、誘導発電機２を配電系統５に連系させる。
制御部７ａは、連系が完了すると、連系完了信号を中央監視装置８に対して送信する。
【００２６】
中央監視装置８は、連系完了信号を受信すると、連系が完了した一の誘導発電機２ａのＩＤを保存するとともに（図２のステップＳＡ６）、一の誘導発電機２ａに与えていた優先連系権利を解除する。
次に、中央監視装置８は、全ての誘導発電機２ａから２ｅが連系を完了したか否かを判断する（図２のステップＳＡ７）。この結果、誘導発電機２ｂから２ｅについては、連系が完了していないため、ステップＳＡ７において「NO」となり、ステップＳＡ３において運転停止指令を送信した制御部７ｂ〜７ｅに対して、他の誘導発電機２ｂから２ｅの運転開始指令を送信する（ステップＳＡ８）。
運転再開指令を受信した制御部７ｂから７ｅは、誘導発電機２ｂから２ｅの運転を再開させる。これにより、各誘導発電機の回転数が除々に上昇することとなる。
そして、中央監視装置８は、上述のステップＳＡ２からステップＳ８を繰り返し実行することにより、回転数が連系開始回転数に達した誘導発電機から順に、配電系統への連系を行わせる（図３の時刻ｔ２からｔ９）。そして、全ての誘導発電機２ａから２ｅの連系が完了すると（図３の時刻ｔ９）、図２のステップＳＡ７において「YES」と判断し、当該処理を終了する。
【００２７】
以上述べてきたように、本実施形態に係る誘導発電機の系統連系制御によれば、以下の効果を奏する。
第１に、各誘導発電機を順次連系させるので、系統連系に起因する突入電流が重畳されるのを防止することが可能となり、突入電流の増加を抑制することができる。これにより、配電系統５の瞬間的な電力、電圧変動や電圧フリッカの増加を防止することができるという効果が得られる。
第２に、回転数が連系開始回転数に達した誘導発電機から順に、系統連系させていくことにより、発電状態の良い発電装置から配電系統に連系させることが可能となるので、発電電力の損失を低減させることができる。
第３に、連系を行っていない誘導発電機のうち、その回転数が、連系開始回転数に最初に到達した一の誘導発電機以外の他の誘導発電機については、運転を停止させるので、他の誘導発電機の回転数を除々に低下させることが可能となる。これにより、一の誘導発電機が連系を完了した時点における他の誘導発電機の回転数を連系開始回転数よりも低くすることが可能となるので、ある程度の時間間隔で、各誘導発電機を順次連系させることが可能となる。この結果、極めて短い時間に、複数の誘導発電機が相次いで、配電系統に連系されるという状況を回避することが可能となり、突入電流の増加を確実に防止することができる。
【００２８】
なお、上述のように、一の誘導発電機の回転数が連系開始回転数に到達したときから一の誘導発電機が連系を完了するまでの期間において、系統連系過程にない他の誘導発電機の運転を停止させるのではなく、その回転数が連系開始回転数よりも低く設定されている待機回転数以上にならないような運転を行わせるようにしても良い。
このように、他の誘導発電機の運転をその回転数が所定回転数以上にならないように行うことにより、運転を停止してしまう場合に比べて、全ての誘導発電機を配電系統に連系させるまでの期間を短くすることが可能となる。
【００２９】
〔第２の実施形態〕
次に、図１に示した風力発電プラントにおいて、中央監視装置８により実現される本発明の第２の実施形態に係る誘導発電機の系統連系制御について、図４を参照して説明する。図４は、本発明の第２の実施形態に係る系統連系に関するタイミングチャートである。図４において、線Ａは誘導発電機２ａの回転数、同様に、線Ｂ、Ｃ、Ｄ、Ｅは、誘導発電機２ｂ、２ｃ、２ｄ、２ｅの回転数をそれぞれ示している。
【００３０】
上述した第１の実施形態に係る誘導発電機の系統連系制御においては、連系が完了していない誘導発電機のうち、一の誘導発電機の回転数が連系開始回転数に達した場合には、その一の誘導発電機が連系を完了するまでの期間、他の誘導発電機の運転を停止させていた（例えば、図３の時刻ｔ１からｔ２参照）。
これに対し、本実施形態に係る誘導発電機の系統連系制御では、第１の実施形態のように、全ての他の誘導発電機の運転を停止させるのではなく、他の誘導発電機のうち、回転数が連系開始回転数よりも低く設定されている運転停止回転数に達した誘導発電機に限り、その運転を停止させる。
【００３１】
例えば、図４の時刻ｔ１において、中央監視装置８が、連系していない誘導発電機２ａから２ｅのうち、誘導発電機２ｃが最初に連系開始回転数に到達したと判定した場合、この時点から一の誘導発電機２ｃの連系が完了するまでの間（図４の時刻ｔ１からｔ３の間）に、回転数が運転停止回転数に達した他の誘導発電機に限って、運転を停止させる。この結果、他の誘導発電機２ａ及び２ｄの運転が停止される。
一方、回転数が運転停止回転数に達していない他の誘導発電機２ｂ及び２ｅについては、引き続き運転が続行される。
運転を停止させた他の誘導発電機２ａ及び２ｄについては、その回転数がゼロに達した時点で運転を再開させる。
【００３２】
以上述べてきたように、本実施形態に係る誘導発電機の系統連系制御によれば、一の誘導発電機の回転数が連系開始回転数に到達したときから一の誘導発電機が連系を完了するまでの期間において、その回転数が運転停止回転数以上となった他の誘導発電機に限って、その運転を停止させるので、全ての他の誘導発電機を停止させる場合に比べて、停止させる他の誘導発電機の台数を極力少なくすることが可能となる。この結果、運転停止による電力の損失を低減させることができる。
【００３３】
なお、運転を停止させた誘導発電機の運転再開のタイミングは、上述の例に限られない。例えば、運転を停止させた誘導発電機の回転数が、運転再開回転数まで低下したときに、運転を再開させるようにしても良い。なお、運転再開回転数は、ゼロ以上、連系開始回転数未満の範囲で任意に選定することが可能である。
また、回転数により誘導発電機の運転再開のタイミングを決定するのではなく、一の誘導発電機の連系が完了したときに、誘導発電機の運転を再開させるようにしても良い。
【００３４】
〔第３の実施形態〕
次に、図１に示した風力発電プラントにおいて、中央監視装置８により実現される本発明の第３の実施形態に係る誘導発電機の系統連系制御について、図５を参照して説明する。図５は、本発明の第３の実施形態に係る系統連系に関するタイミングチャートである。
上述した第１及び第２の実施形態に係る誘導発電機の系統連系制御においては、連系させる順序を誘導発電機の回転数に応じて決定していたが、本実施形態においては、連系させる誘導発電機の順序を予め設定しておき、設定した順序に従って、順次誘導発電機を配電系統に連系させる。
例えば、連系の順序が、誘導発電機２ａ、２ｂ、２ｃ、２ｄ、２ｅの順序で設定されていた場合について、系統連系制御について説明する。
【００３５】
まず、中央監視装置８は、最初に設定されている誘導発電機２ａに対応する制御部７ａに対してのみ、運転開始指令を送信する。これにより、誘導発電機２ａのみが発電を開始する。そして、この誘導発電機２ａの回転数が同期回転数に達した時点で、中央監視装置８は、制御部７ａに対して、連系指令を送信する。これにより、制御部７ａによりコンタクタ４ａがオンされ、誘導発電機２ａが配電系統５に連系される。制御部７ａは、連系が完了すると、中央監視装置８に対して、連系完了信号を送信する。
中央監視装置８は、この連系完了信号を受信すると、次の順番に設定されている誘導発電機２ｂの運転を開始させるべく、制御部７ｂに対して運転開始指令を送信する。
以上の制御を繰り返し行うことにより、図５に示すように、誘導発電機２ａから２ｅを順番に配電系統に連系させることができる。
【００３６】
以上述べたように、本実施形態に係る誘導発電機の系統連系制御によれば、各誘導発電機に対して、予め連系の順番を定めておき、その順番に従って、各誘導発電機を連系させるので、非常に簡便な制御手法により、誘導発電機の同時連系を防止することができる。
【００３７】
以上、本発明の実施形態について図面を参照して詳述してきたが、具体的な構成はこの実施形態に限られるものではなく、本発明の要旨を逸脱しない範囲の設計変更等も含まれる。
例えば、上述した第１から第３の実施形態における誘導発電機の系統連系制御は、中央監視装置８により行われていたが、この例に限られない。
例えば、複数ある風力発電装置１０ａから１０ｅのうち、１台の風力発電装置の制御部を親機とし、他の風力発電装置の制御部を子機とし、親機に上記中央監視装置８が備える構成を具備させることによって、同様の作用、効果を持たせることが可能である。
また、主従の関係を持たせずに、各制御部７ａから７ｅが、それぞれ互いに回転数などの情報を送受信することにより、上述した第１から第３の実施形態における誘導発電機の系統連系制御を実現するようにしても良い。
また、上述の第１及び第２の実施形態において、誘導発電機の運転を停止させる代わりに、誘導発電機と風車との連結をクラッチなどを用いて切り離し、風車の動力が誘導発電機に伝達されないようにすることも可能である。
【図面の簡単な説明】
【００３８】
【図１】本発明の誘導発電機の系統連系方法が適用される風力発電プラントの一構成例を示す図である。
【図２】本発明の第１の実施形態に係る系統連系制御の手順を示したフローチャートである。
【図３】本発明の第１の実施形態に係る系統連系制御の一例を説明するためのタイミングチャートである。
【図４】本発明の第２の実施形態に係る系統連系制御の一例を説明するためのタイミングチャートである。
【図５】本発明の第３の実施形態に係る系統連系制御の一例を説明するためのタイミングチャートである。
【符号の説明】
【００３９】
１ａ、１ｂ、１ｃ、１ｄ、１ｅ  風車
２ａ、２ｂ、２ｃ、２ｄ、２ｅ  誘導発電機
４ａ、４ｂ、４ｃ、４ｄ、４ｅ  コンタクタ
５  配電系統
７ａ、７ｂ、７ｃ、７ｄ、７ｅ  制御部
８  中央監視装置
１０ａ、１０ｂ、１０ｃ、１０ｄ、１０ｅ  風力発電装置
【図１】
2006109569.tif 000003
【図２】
2006109569.tif 000004
【図３】
2006109569.tif 000005
【図４】
2006109569.tif 000006
【図５】
2006109569.tif 000007